Podtech/llm-jp-corpus-v4-ja_patent huggingface dataset:
(57)【要約】【課題】人工大理石からなり一体成形で作成される各種形状のシンクを提供する。【解決手段】排水口５を開口形成する底面２とこの周縁から上方に向かって開き傾斜する枠縁部３とからなり、さらに別の実施例として底面２及び枠縁部３の表裏にゲートコーテイングを施したシンクである。【選択図】図１
0003218986.tif 000002
【実用新案登録請求の範囲】
【請求項１】
一体成形出来る傾斜角や高さを有し人工大理石からなるシンクであって、該シンクは、排水口を開口する底面と、該底面の周縁を囲んで立設し上方に開口部を形成する枠縁部とからなり、枠縁部は、上方に向かって開き傾斜する形状のものからなることを特徴とする人工大理石シンク。
【請求項２】
前記底面と枠縁部の表裏にはゲールコーテイングがなされていることを特徴とする請求項１に記載の人工大理石シンク。
【考案の詳細な説明】
【技術分野】
【０００１】  本考案は、底面とこの周縁を囲む枠縁部とからなり、該枠縁部は上方に向かって開き傾斜して開口部を形成するものからなり底面及び枠縁部は一般成形出来る人工大理石シンクに関する。
【背景技術】
【０００２】  例えば、台所等における流し台としては陶器やステンレス等の金属や樹脂材から形成されるものが多く、人工大理石を用いるものは少ない。
人工大理石はポリエステル系又はアクリル系の樹脂材に無機質粉体等を混合したものからなり、天然の大理石とは相異するが美観も硬度もあり安価に一般成形出来る利点を有するものがシンクに用いられるものもある。【０００３】  シンクの形状としては各種のものがあるがその枠縁部の傾斜方向や傾斜角度や高さ等において各種のものがあり一体成形されるものは本考案の権利者以外には殆ど存在しない。
【考案の概要】
【考案が解決しようとする課題】
【０００４】  前記のように底面とこれを囲んで立ち上がる枠縁部とを有するシンクは存在するが、人工大理石からなり、かつ一般成形出来るものは従来技術としては存在していなかった。
本考案は枠縁部の傾斜角度やその高さを研究し、一体成形可能で美観や硬度もありシンクとして利用出来る人工大理石シンクを提供することを目的とするものである。
【課題を解決するための手段】
【０００５】  本考案は、以上の目的を達成するために考案されたものであり、請求項１の考案は、一体成形出来る傾斜角や高さを有し人工大理石からなるシンクであって、該シンクは、排水口を開口する底面と、該底面の周縁を囲んで立設し上方に開口部を形成する枠縁部とからなり、枠縁部は、上方に向かって開き傾斜する形状のものからなることを特徴とする。【０００６】  また、請求項２の考案は、前記底面と枠縁部の表裏にはゲールコーテイングがなされていることを特徴とする。
【考案の効果】
【０００７】  本考案の請求項１の人工大理石シンクによれば、人工大理石を用いて無理なく一体成形でき美観も硬度もあってシンクとして利用出来る効果を上げることが出来る。【０００８】  また、本考案の請求項２の人工大理石シンクによれば、底面や枠縁部の表裏がゲールコーテイングにより被膜形成されているため、表面硬度が高く、かつ美観をより一層上げることの出来る人工大理石シンクを作ることが出来る効果が上げられる。
【図面の簡単な説明】
【０００９】
【図１】  本考案の人工大理石シンクの全体構造を示す斜視図。
【図２】  図１のＡ−Ａ線断面図。
【図３】  表裏面にゲールコーテイング被膜をした本考案の人工大理石シンクを示す断面図。
【考案を実施するための形態】
【００１０】  以下、本考案の人工大理石シンクの実施の形態を図面を参照して詳説する。
図１に示すように本考案の人工大理石シンク１は、排水口５を開口し平面状に広がる底板２とこの周縁より立ち上がる枠縁部３となり人工大理石を用いて一体成形したものからなる。上面には開口部４が形成される。なお、図１は角形のものからなるが丸形，楕円型，多角形やその他の公知輪郭形状のものであってもよい。
【実施例１】
【００１１】  図１に示した人工大理石シンク１は角形のものでこのＡ−Ａ断面は図２に示されるものからなり枠縁部３は底面２から上方に向かって開き傾斜する傾斜角度θで高さｈのものからなる。傾斜角度θとしては実施例として１２０°以下のものが採用される。傾斜角度１２０°以上の場合は溢水が生じ易く、実際上使い物にならない。また、枠縁部３の高さｈは１０ｃｍ以上が一体成形上必要であるか実施例としてはその上限については特に制限はないが一般的には１５ｃｍ程度である。なお、ｈが１０ｃｍ以下では一体成形が円滑に行われずまた、使用上溢水等の可能性がある。しかしながら、枠縁部３の傾斜角度θや高さｈは上記のものに限定するものではないが一般的には傾斜角度６０°で高さｈが１０ｃｍ程度のものが使用上形成されている。
【実施例２】
【００１２】  図３は底面２や枠縁部３にゲールコーテイング６を施した実施例を示すものである。成形時に上型及び下型の表面にゲールコーテイングを塗布し、その上で普通の成形方法に従って人工大理石を注入することにより図３に示したものが被膜形成される。ゲールコーテイングを施覆することによる表面硬度がより高くなり、外観美のある人工大理石シンク１を形成することが出来る。【００１３】本考案は以上の説明の内容からなるがこの内容に限定するものでなく一般技術的範疇のものが適用されることは勿論である。
【産業上の利用可能性】
【００１４】  本考案の人工大理石シンク１は前記のように流し台や洗面台等として各方面に使用されており天然大理石のように高価で美しいものではないが十分の美観もあり、安価であり、広く使用され利用の可能性は極めて広い。
【符号の説明】
【００１５】  １  人工大理石シンク
２  底面
３  枠縁部
４  開口部
５  排水口
６  ゲートコーテイング
【図１】
0003218986.tif 000003
【図２】
0003218986.tif 000004
【図３】
0003218986.tif 000005
(57)【要約】【課題】人体の腎部や腰まわりを簡単に安全に確実に洗浄出来、美観のある人工大理石からなる腎部や腰まわり洗浄槽を提供する。【解決手段】台座８の上面に搭載された槽本体２のほぼ中央部に形成された凹部３内に洗浄時に人体１０が入りその状態でシャワーによる洗浄を受ける。洗浄水は周辺にこぼれず凹部３に入り腎部や腰まわり１１を洗浄する。汚水は凹部３の最低部６にある排水口５より排出される。以上により人体１０の腎部や腰まわり１１の洗浄が安定的に行われる。【選択図】図４
0003218987.tif 000002
【実用新案登録請求の範囲】
【請求項１】
一体成形される人工大理石からなり人体の腎部や腰まわりを収納して洗浄する腰まわり洗浄槽であって、該腰まわり洗浄槽は、槽本体の中央部に前記腎部や腰まわりを収納する凹部を形成するものからなり、前記凹部の最低部には排水口が開口形成されることを特徴とする腰まわり洗浄槽。
【請求項２】
前記槽本体を上部に搭載する台座と台座の下部に設けられるキャスタとを有することを特徴とする請求項１に記載の腰まわり洗浄槽。
【考案の詳細な説明】
【技術分野】
【０００１】  本考案は、腎部や腰まわりを心地よく洗浄出来る腰まわり洗浄槽に関する。
【背景技術】
【０００２】  用便の後、腎部や腰まわりを洗浄したいと思う人が多く、身体の不自由な身障者や老人や病人は特に用便后に腎部や腰まわりを簡単に洗浄したいと思う場合が多い。
そのために色々な洗浄槽が従来より開示されているが本考案に近いものとして図５に示すものがある。このものは平板１２の一部に孔１３を開口形成し、この平板１２を脚部１４で支持したものからなる。使用者は平板１２上に着座するか横になり孔１３の上に腎部を臨かせ、周囲よりシャワーにより洗浄水を流し、腎部や腰まわりを洗浄するものからなる。以上の動作は他人の手を借りることにより、身障者や老人等も使用可能であるが次のような問題点がある。即ち、シャワーにより洗浄水を噴射しても腎部や腰まわり以外の部分にも洗浄水を噴射され洗浄が完全に行われない問題点がある。また、洗浄水は平板１２上にも噴射されるため洗浄水が平板１２の周縁から床面側に流れ床面を汚す問題点がある。また、この形態のものは美観もなく使用者にとって気持ちの良いものでもない。また、平板１２への着座や横たわりは本人にとっても面倒な動作であり、また、楽な姿勢ではない等の問題点があった。
【考案の概要】
【考案が解決しようとする課題】
【０００３】  本考案は以上の問題点を解決するもので身障者や老人や病人等が楽に使用でき、腎部や腰まわりの洗浄が確実に行われ、周辺の汚れも少なく、外観美があり、使用者が気持ち良く使用できる腰まわり洗浄槽を提供することを目的とするものである。
【課題を解決するための手段】
【０００４】  本考案は、以上の目的を達成するために、請求項１の考案は、一体成形される人工大理石からなり人体の腎部や腰まわりを収納して洗浄する腰まわり洗浄槽であって、該腰まわり洗浄槽は、槽本体の中央部に前記腎部や腰まわりを収納する凹部を形成するものからなり、前記凹部の最低部には排水口が開口形成されることを特徴とする。【０００５】  また、請求項２の考案は、前記槽本体を上部に搭載する台座と台座の下部に設けられるキャスタとを有することを特徴とする。
【考案の効果】
【０００６】  本考案の請求項１の腰まわり洗浄槽によれば、使用者は槽本体のほぼ中央に形成されている凹部に腎部や腰まわりを簡単に、かつ安全に収納することが出来、シャワーからの洗浄水も凹部に向かって噴射すればほぼ確実に腎部や腰まわりを洗浄することが出来、周辺への流水もほぼ無くなる。また、凹部に流れ込んだ用済み洗浄水は凹部の最低部にある排水口から排水される。また、人工大理石から形成されているため美観が有り、使用者は気持ち良く使用することが出来る。【０００７】  また、本考案の請求項２の腰まわり洗浄槽によれば、使用し易い位置に槽本体を配置することが出来、凹部への収納が容易に行われる。また、台座はキャスタを設けているため、任意の場所に移動出来る効果も上げることが出来る。
【図面の簡単な説明】
【０００８】
【図１】  本考案の腰まわり洗浄槽の平面図。
【図２】  図１のＡ−Ａ線断面図。
【図３】  図１のＢ−Ｂ線断面図。
【図４】  本考案の腰まわり洗浄槽の作用を説明するための模式的断面図。
【図５】  従来の腰まわり洗浄槽の概要構造を示す斜視図。
【考案を実施するための形態】
【０００９】  以下、本考案の腰まわり洗浄槽の実施の形態を図面を参照して詳述する。
【００１０】  本考案の腰まわり洗浄槽１は図１に示すように槽本体２とそのほぼ中央部に形成されている凹部３とからなる。凹部３の形状は図４に示すように人体１０の腎部や腰まわり１１が安定保持される形状からなる。この凹部３の底面４の最低部６の位置には排水口５が開口形成される。また、凹部３の周縁は図３に示すように傾斜面７が形成され凹部３に収納された人体１０を円滑に、かつ安定的に保持する。
【実施例１】
【００１１】  腰まわり洗浄槽１は以上の形態のままでも使用出来るが安易な動作をより容易にするため図２及び図３等に示すように腰まわり洗浄槽１を台座８上に搭載すると便利である。また、台座８はキャスタ９により支持されることにより任意の場所に移動することが出来る利点がある。【００１２】  図４は使用者である人体１０の使用状態を示すものである。腎部や腰まわり１１の洗浄を必要とする人体１０は裸になって凹部３内に入る。この凹部３内で人体１０は着座でもよく、また、上向きに図示のように横たわってもよい。また、槽本体２に手を掛けて安定に支持してもよい。【００１３】  上記の状態でシャワーから洗浄水を噴射すると洗浄水は凹部３に一時的に溜り、腎部や腰まわり１１の洗浄を効果的に行う。
洗浄済の汚物を含む水は最低部６にある排水口５から外部に排出される。
以上により、腎部や腰まわり１１の洗浄が容易に、かつ確実に行われる。
【産業上の利用可能性】
【００１４】  人体１０にとって腎部や腰まわり１１の洗浄は重要であり、かつ容易に出来るものがあれば身障者に限らず使用することも出来、その利用範囲は極めて高い。
【符号の説明】
【００１５】  １    腰まわり洗浄槽
２    槽本体
３    凹部
４    底面
５    排水口
６    最低部
７    傾斜面
８    台座
９    キャスタ
１０  人体
１１  腎部や腰まわり
１２  平板
１３  孔
１４  脚部
【図１】
0003218987.tif 000003
【図２】
0003218987.tif 000004
【図３】
0003218987.tif 000005
【図４】
0003218987.tif 000006
【図５】
0003218987.tif 000007
(57)【要約】      （修正有）【課題】着物及び着物袖部分を汚すことなく、気軽に用便ができる肌着用裾よけを提供する。【解決手段】着物用肌着の裾部分を袋状に縫い合わせた袋状部分２と、袋状部分の中に通された紐状部分４とを備え、紐状部分は、両端に脱着部５を有し、裾よけを使用しないときには、脱着部により紐状部分が袋状部分に固定され、裾よけを使用するときには、袋状部分から紐状部分を引き出し、着物の裾及び袖部分を包み囲い、帯揚げ部分で縛るとことを特徴とする。【選択図】図１
0003218989.tif 000002
【実用新案登録請求の範囲】
【請求項１】
着物用肌着の裾部分を袋状に縫い合わせた袋状部分と、前記袋状部分の中に通された紐状部分とを備え、前記紐状邵分は、その両端に脱着部を有し、裾よけを使用しないときには、前記脱着部により前記紐状部分が前記袋状部分に固定され、前記裾よけを使用するときには、前記袋状部分から紐状部分を引き出し、着物の裾及び袖部分を包み囲い、帯揚げ部分で縛るとことを特徴とする肌着用裾よけ。
【考案の詳細な説明】
【技術分野】
【０００１】  本考案は、着物を着用する際に使う肌着の裾部分に技術を施し、使用者が用を足すときに着物及び着物袖部分を汚さない為に使用するものである。
【背景技術】
【０００２】  近年、日常生活から着物は離れているが、冠婚葬祭、成人式など着物を着る機会が全くないとは言えない。着用者自身が着物に不慣れ、かつ高価な着物を着てのトイレの使用は非常に困難である。
【先行技術文献】
【特許文献】
【０００３】
【特許文献１】特開２００６−２０７０７７号
【考案の概要】
【考案が解決しようとする課題】
【０００４】  着物に不慣れな人が、着物を着て用便をすることは、精神的負担が大きく、トイレの使用を我慢してしまうこともある。簡単に洗えない着物の表部分及び袖部分が、洗うことのできる、肌着付き裾よけで覆ってしまうことで、誰でも気軽に用便ができる。
着たいけどトイレに行けないからと、着物の着用を諦めていた人も、この肌着付き裾よけを使うことで、着物を着る機会が増えてくる。
【課題を解決するための手段】
【０００５】  上記の課題は、着物用肌着の裾部分を袋状に縫い合わせた袋状部分と、前記袋状部分の中に通された紐状部分とを備え、前記紐状部分は、その両端に脱着部を有し、裾よけを使用しないときには、前記脱着部により前記紐状部分が前記袋状部分に固定され、前記裾よけを使用するときには、前記袋状部分から紐状部分を引き出し、着物の裾及び袖部分を包み囲い帯揚げ部分で縛るとことを特徴とする肌着用裾よけによって解決される。
具体的には、本考案は、着物を着るときには必ず着用する肌着の裾を袋状に縫いあわせ、袋状にした中に２ｃｍの綿テープを通す。中に通した綿テープを着物の裾、袖部分をすっぽりと囲うように裾よけを持ち上げ、綿テープを両端から引っ張り、帯揚げ部分で縛ることで、着物の下半身部分は、本考案に守られているので着物を汚さないですむ。また、万が一、汚れたとしても、本考案品は着物と違い、自宅での洗濯が可能である。
【考案の効果】
【０００６】  上述のように、本考案の肌着付き裾よけは、着物を着るときに必ず着用する肌着の下部部分に技術を施すので、着用者自身は重さ、不自由さを感じることはない。用便をする際、肌着にとめておいた布テープをはずし、綿テープを両端から引っ張り着物の下半身部分、及び着物袖部分を全て肌着で覆うことにより、安心して用便をすることができる。
また、万が一、汚してしまっても、肌着は自宅で簡単に洗えるので、着物を洗うより、非常に経済的である。
【図面の簡単な説明】
【０００７】
【図１】  本考案の肌着付き裾よけの実施例を示す正面図である。
【図２】  本考案を使用した時の着物の全体正面図である。
【考案を実施するための形態】
【０００８】  本考案では肌着の下位部分を４ｃｍ三つ折りに縫い合わせ袋状にする。袋状にした中に２ｃｍの綿テープを通す。中に通した綿テープは、前身頃両端に２ｃｍ残し布テープで綿テープを肌着の内側にとめておく。本考案技術の裾よけを使用するときは、布テープから綿テープを外し、着物の裾、袖部分をすっぽりと囲うように、本考案の肌着を持ち上げ、綿テープで両端から引っ張り、帯揚げ部分で縛ることで使用者の両手は自由になる。
図１は本考案の一実施例である着物用肌着を示す。
【実施例】
【０００９】  以下、添付図面に従って一実施例を説明する。１は市販されている着物用の肌着。２は着物用肌着の裾よけ下位部分を袋状に縫い合わせた部分である。３は、着物用肌着の裾前身頃ごろの内側端に縫い付けた脱着部、例えば面ファスナーである。面状ファスナーとしては、布テープやマジックテープ（登録商標）などが使うことができる。４は、紐状部分であり平らで滑りやすいリボンテープを用いる。５は、紐状部分４の綿テープ両端２ｃｍに布テープを縫い付けた脱着部である。脱着部の５は、面ファスナー、たとえば、綿テープ又はマジックテープ（登録商標）などである。袋状部分２の筒部分に４を通し、３に張り付ける。紐状部分４は袋状部分２の中に収容され、抜け落ち防止の為、縫い付け部分６において縫いとめられている。【００１０】  本考案の裾よけは、図２に示すように着物７の下に長襦袢（非図示）を着用し、その下に点線で示すように着用される。
次に、本考案技術の裾よけの使用方法を図に用いて説明する。脱着部３から５をはずして紐状部分４の両端を引っ張り着物の裾及び袖部分を覆うように囲い、矢印９で示すように引っ張り上げ、帯揚げ部分で縛り上げる。【００１１】  本考案の一実施例は上述の如き構成からなるものであるから、使用しないときは違和感なく着用できる。使用時は、一人で簡単に使用することができる。また、使用後は順序を逆に戻すだけで、簡単に元に戻り、着物の着崩れの心配もない。
【符号の説明】
【００１２】１  着物用肌着
２  袋状部分
３  脱着部分
４  紐状部分
５  脱着部
６  縫いとめる部分
７  着物部分
８  帯
【図１】
0003218989.tif 000003
【図２】
0003218989.tif 000004
(57)【要約】      （修正有）【課題】練習に依り、スイートスポットでボールをヒットさせターゲット方向に正確にボールを打ち出し、且つ距離感を養う事に役立つパッティングチップを提供する。【解決手段】長さ２０〜２５ｍｍ×底辺１５〜２０ｍｍ×高さ５〜７ｍｍ×インパクト面７〜１０ｍｍの断面台形の角柱ネオジム磁石のチップ１をパター２のスイートスポット２ａにパターソール２ｂと垂直に装着してインパクト面でのボールヒットを体得させる。【選択図】図２
0003218992.tif 000002
【実用新案登録請求の範囲】
【請求項１】
断面が台形で角柱のネオジム磁石のチップは長さ２０〜２５ｍｍ×底辺１５〜２０ｍｍ×高さ５〜７ｍｍ×底辺と平行なインパクト面７〜１０ｍｍ幅の寸法を備え、これをパターフェイスのスイートスポットにパターソールと垂直に装着してインパクト面でボールをヒットする事に依りターゲット方向にボールを打ち出す正確なインパクトと距離感を養う練習をする為のパッティングチップ
【考案の詳細な説明】
【技術分野】
【０００１】本考案は、ゴルフのパッティング練習時に使用する断面が台形の角柱のネオジム磁石のチップに関する。
【背景技術】
【０００２】ゴルフのパッティング練習をする場合、通常は、市販の器具で練習している。
【考案の概要】
【考案が解決しようとする課題】
【０００３】パッティングのインパクトで方向性と距離感を安定させるにはスイートスポットでボールをヒットさせる事が重要である。しかし、スイートスポットを外してヒットしている事が多く正確にヒットさせる事が難しい。
【課題を解決するための手段】
【解決手段】
【０００４】本考案は、断面が台形で角柱のネオジム磁石のチップは長さ２０〜２５ｍｍ×底辺１５〜２０ｍｍ×高さ５〜７ｍｍ×底辺と平行なインパクト面７〜１０ｍｍ幅の寸法を備え、これをパターフェイスのスイートスポットにパターソールと垂直に装着してインパクト面でボールをヒットさせる練習に依り、スイートスポットでボールをヒットさせターゲット方向に正確にボールを打ち出し、且つ距離感を養う事に役立つ。
【考案の効果】
【０００５】上述の様に、本考案のパッティングチップは、パターフェイスのスイートスポットにパターソールと垂直に装着してインパクト面でボールをヒットさせる練習をする事に依り、集中力とターゲット方向に正確にボールを打ち出し、且つ距離感を養い体得出来る。
【図面の簡単な説明】
【０００６】
【図１】本考案のパッティングチップの立体図と断面図である。
【図２】本考案のパッティングチップを市販パターに装着時の図である。
【考案を実施するための形態】
【０００７】断面が台形で角柱のネオジム磁石のチップは長さ２０〜２５ｍｍ×底辺１５〜２０ｍｍ×高さ５〜７ｍｍ×底辺と平行なインパクト面７〜１０ｍｍ幅の寸法を備え、これをパターフェイスのスイートスポットにパターソールと垂直に装着してインパクト面でボールをヒットさせる練習に依り、スイートスポットでボールをヒットさせターゲット方向に正確にボールを打ち出し、且つ距離感を養える形状
【符号の説明】
【０００８】１  パッティングチップ
１ａインパクト面
１ｂチップ長さ
１ｃチップ底辺（装着面）
１ｄチップ高さ
２  市販パター
２ａスイートスポット
２ｂパターソール
【図１】
0003218992.tif 000003
【図２】
0003218992.tif 000004
(57)【要約】      （修正有）【課題】トイレ使用者は勿論のこと、トイレを使用しない人々にも美観的に良い環境を呈するトイレットペーパー用保管カバーを提供する。【解決手段】巻型トイレットペーパーの巻き方向の外周を覆う長さの長方形状の厚手のカバー本体２を形成し、カバー本体２の長さ方向の一端側には長さ方向に交差する挿し込み孔３を設け、カバー本体２の他端側には挿し込み孔３に差し込み自在な差し込み片４を形成して、巻型トイレットペーパーの巻き方向を被覆自在とし、又カバー本体が、撚り紙紐の複数本を並列接着した紙バンドを形成すると共にこの紙バンドの複数本を並列接着して紙バンドシート本体を形成し、その紙バンドシート本体における紙バンドの長さ方向を表側とし、この表側と裏側の紙バンドシート本体は互いの紙バンドが交差するよう貼り合わせてなる。【選択図】図１
0003218995.tif 000002
【実用新案登録請求の範囲】
【請求項１】
巻型トイレットペーパーの巻き方向の外周を覆う長さの長方形状の厚手のカバー本体を形成し、カバー本体の長さ方向の一端側には長さ方向に交差する差し込み孔を設け、カバー本体の他端側には前記差し込み孔に差し込み自在な差し込み片を形成して、巻型トイレットペーパーの巻き方向を被覆自在としたトイレットペーパー用保管カバー。
【請求項２】
カバー本体が、撚り紙紐の複数本を並列接着した紙バンドを形成すると共にこの紙バンドの複数本を並列接着して紙バンドシート本体を形成し、その紙バンドシート本体における紙バンドの長さ方向を表側とし、この表側と裏側の紙バンドシート本体は互いの紙バンドが交差するよう貼り合わせてなる請求項１記載のトイレットペーパー用保管カバー。
【考案の詳細な説明】
【技術分野】
【０００１】
本考案は、巻型トイレットペーパーを保管しておくカバーに関する。
【背景技術】
【０００２】
従来巻型トイレットペーパーは、複数巻梱包されたものを買い求めてそのまま保管するか、所要数を取り出してトイレ使用者の見える場所にむき出しのまま予備としておいているのが現状である。
然しながら巻いたトイレットペーパーをそのまま見えるところに置くということはトイレ使用者は勿論のこと他の人々にも美観としては優れない。
【考案の開示】
【考案が解決しようとする課題】
【０００３】
巻型トイレットペーパーは全体が薄い透明プラスチック布に覆われており、それらが複数個まとめられたものが販売されているのが一般的である。然しそれらは所要数巻をトイレに設置した後は棚とか境界壁などにむき出しに置かれており、美観的に好ましくない。そこで本案ではトイレ使用者は勿論のこと、トイレを使用しない人々にも美観的に良い環境を提供しようとするものである。
【課題を解決するための手段】
【０００４】
そこで本考案は巻型トイレットペーパーの巻き方向の外周を覆う長さの長方形状の厚手のカバー本体を形成し、カバー本体の長さ方向の一端側には長さ方向に交差する差し込み孔を設け、カバー本体の他端側には前記差し込み孔に差し込み自在な差し込み片を形成して、巻型トイレットペーパーの巻き方向を被覆自在としたものである。
又カバー本体は、撚り紙紐の複数本を並列接着した紙バンドを形成し、この紙バンドの複数本を並列接着して紙バンドシート本体を形成し、その紙バンドシート本体における紙バンドの長さ方向を表側とし、この表側と裏側の紙バンドシート本体は互いの紙バンドが交差するよう貼り合わせてなるものを使用するようにしてもよい。勿論カバー本体として、紙バンドシート本体を３枚以上貼り合わせる場合も互いの紙バンドは順に交差するように貼り合わせてもよい。
【考案の効果】
【０００５】
本考案の効果として、巻型トイレットペーパーを保管するのに該ペーパーの巻き方向にカバー本体をかぶせ、挿し込み孔に外側から差し込み片を差し込み保管することにより、トイレ使用者は勿論のこと使用しない人でも棚とか壁上などに置かれたトイレットペーパーは装飾として視覚に入り美観的に優れている。厚手のカバー本体として表面が平滑な厚紙を使用するときは、その厚紙への印刷、型抜き加工などが容易でより趣向の変わったものができ効果的である。
カバー本体に紙バンドシートを使用することにより、カバー本体の長さ方向と交差する紙バンドの撚り紙紐は内側に密接状態に圧迫されて外側への開こうとする力が働くのでより保形性がよくなり、不用意に型崩れ、潰れたりすることなく取り扱い勝手がよくなる。
【実施例】
【０００６】
本案を図示の実施例により詳記すると、巻型トイレットペーパー１の巻き方向の外周を覆う長さの長方形状の厚手のカバー本体２を形成し、カバー本体２の長さ方向の一端側には長さ方向に交差する差し込み孔３を設け、カバー本体２の他端側には前記差し込み孔３に差し込み自在な差し込み片４を形成して、巻型トイレットペーパー１の巻き方向を被覆自在としたものである。これを使用するにはトイレットペーパー１の巻き方向の外周にカバー本体２を巻き挿し込み孔３に差し込み片４を差し込みトイレットペーパー１の巻き方向(外周)を被覆する。予め差し込み孔３に差し込み片４を差し込んでカバー本体２を筒状にしておき、その筒状のカバー本体２にトイレットペーパー１を入れて被覆するようにしてもよい。
カバー本体２は単に保形性の良い厚紙を使用し表面には任意の印刷、型抜き加工等の模様を施すようにするとよい。
【０００７】
又カバー本体２は、撚り紙紐５の複数本を並列接着した紙バンド６を形成し、この紙バンド６の複数本を並列接着して紙バンドシート本体７を形成し、紙バンド６の長さ方向を表側とし、この表側と裏側の紙バンドシート本体７，７は互いの紙バンド６，６が交差するよう貼り合わせてなるものを使用するようにする。更にカバー本体２として、紙バンドシート本体７を３枚以上貼り合わせる場合も互いの紙バンド６は長さ方向が順に交差するように貼り合わせてもよい。この場合は保管カバーとしては表裏がなくなりリバーシブルとして使用できる。
紙バンド６は種々の色違いの撚り紙紐５を使用することによりよりより変化に富んだ美観を呈することとなる。
【図面の簡単な説明】
【０００８】
【図１】本考案に係る保管カバーの表面斜視図
【図２】保管カバーの使用状態拡大斜視図
【図３】カバー本体を構成する紙バンドシートの表面拡大説明図
【符号の説明】
【０００９】
１：巻型トイレットペーパー
２：カバー本体
３：挿し込み孔
４：差し込み片
５：撚り紙紐
６：紙バンド
７：紙バンドシート
【図１】
0003218995.tif 000003
【図２】
0003218995.tif 000004
【図３】
0003218995.tif 000005
(57)【要約】      （修正有）【課題】封じ片の一部を補強し、閉じやすく、また開封しやすい、構造的にシンプルな封筒を提供する。【解決手段】封筒の封じ片の一か所に折り線を設け、折り線に沿って封じ片の先端を内側に折り、二重になった部分を封じ片に接着することにより、封じ片の一部を補強する。封筒を閉じる場合、補強された部分を指で押さえると、均等な力を加えることができ、正確に閉じることができる。また、封じ片の二重になった部分が、接着剤を付ける目安となるため、少量の接着剤で綺麗に封筒を閉じることができる。さらに、封じ片の一部が二重に補強されているため、力を入れて開封しても不規則に破れることが少なく、開封し易くなる。【選択図】図２
0003218962.tif 000002
【実用新案登録請求の範囲】
【請求項１】
封筒の封じ片の先端から８ミリ程度のところに折り線Ａを設け、その折り線に沿って封じ片の先端を内側に折り、二重になる折り返し片Ｂを設けることにより、封じ片の一部が補強され、閉じやすく、また開封しやすくした封筒。
【請求項２】
請求項１に記した、折り線Ａに沿って封じ片の先端を内側に折り、二重になる折り返し片Ｂの部分を封じ片に接着した封筒。
【請求項３】
請求項１に記した、封筒の封じ片の先端部分に折り線Ａを設けたままで、完成品とした封筒。
【請求項４】
図面１及び図面２は、基本的な封筒の図面を示すものであり、横長の封筒や大型の封筒にも請求項１に記した今回の考案内容は適用されるものである。
【考案の詳細な説明】
【技術分野】
【０００１】  本考案は、封筒の封じ片の先端から８ミリ程度のところに折り線を設け、その折り線に沿って封じ片の先端を内側に折り、二重になる折り返し片Ｂを設けることにより、封じ片の一部が補強され、閉じやすく、また開封しやすくした封筒に関するものである。
【背景技術】
【０００２】  従来、封筒の開封を容易にするものとして、封じ片等にミシン目を入れたものや糸等を施したものがある。また、封筒を簡易に閉じる方法として、封じ片の一部に接着剤を施したものなどがある。しかし、これらは、一部で使用されているだけで、まだ一般的なものになっていない状況にある。【０００３】  現在、多く使用されている一般的な封筒では、今回の考案の封筒のように封じ片の一部が補強されていないため、封じ片が弱く不規則に破れ、上手く開封することができないことが多かった。
【考案の概要】
【考案が解決しようとする課題】
【０００４】  従来の一般的な封筒では、封筒を閉じる場合、接着剤を付けるための目安となるところがなく、封じ片の全体に接着剤を付けて接着していた。また、手で開封する際には、封じ片の一部が二重に補強されていないため、封じ片が弱く、不規則に破れることが多く、開封するのに苦労していた。
【課題を解決するための手段】
【０００５】  封筒の封じ片の先端から８ミリ程度のところに折り線Ａを設け、その折り線に沿って封じ片の先端を内側に折り、二重になる折り返し片Ｂを設けることにより、封じ片の一部が補強され、閉じやすく、また開封しやすくなるもの。
【考案の効果】
【０００６】  封筒の封じ片の一部が二重になるよう内側に折られ、補強されていることから、封筒を閉じる際、二重に補強された部分に接着剤を塗り、その部分を指で押さえると均等な力が加わり、確実に接着することができるようになる。【０００７】  また、二重になっている折り返し片Ｂの部分が接着剤を付ける目安となるため、少量の接着剤で閉じることができるようになる。【０００８】  さらに、折り返し片Ｂの部分が二重に補強されていることから、従来のような封じ片が補強されていない封筒と比べ、力を入れて開封しても不規則に破れることが少なく、開封しやすく、開封する者にとっても配慮されたものになっている。
【図面の簡単な説明】
【０００９】
【図１】本考案に係る基本的な封筒の封じ片に折り線Ａを設けた図である。
【図２】図１で示す折り線Ａを折り、折り返し片Ｂを設けた図である。
【図３】図１で示す封筒の側面図である。
【図４】図２で示す封筒の側面図である。
【考案を実施するための形態】
【０００１０】  封筒の封じ片の先の部分から８ミリ程度のところに折り線Ａを設け、その折り線に沿って封じ片の先端を内側に折り、二重になる折り返し片Ｂを設けることにより、封じ片の一部が補強され、閉じやすく、また開封しやすくするもの。
【実施例】
【０００１１】  図１及び図２で示す封筒のように、封じ片の一か所に折り線Ａを設け、その折り線に沿って封じ片の先端を内側に折り、二重になる折り返し片Ｂを設け、そのＢの部分の内側を接着剤で貼り封筒を完成する。【０００１２】  図１で示す封筒のように、封じ片の一か所に折り線Ａを設けたシンプルなもので完成品とする。この場合、使用者が折り線Ａに沿って封じ片の先端を内側に折り、封じ片の一部を折り返し片Ｂのように二重にして使用する。
【符号の説明】１  封筒本体
２  封筒の封じ片
Ａ  ２の封じ片に設けられた折り線
Ｂ  折り線Ａに沿って内側に折られ、二重に補強された折り返し片
【図１】
0003218962.tif 000003
【図２】
0003218962.tif 000004
【図３】
0003218962.tif 000005
【図４】
0003218962.tif 000006
【手続補正書】
【提出日】平成30年8月31日(2018.8.31)
【手続補正１】
【補正対象書類名】実用新案登録請求の範囲
【補正対象項目名】全文
【補正方法】変更
【補正の内容】
【実用新案登録請求の範囲】
【請求項１】
封筒の封じ片の先端から８ミリ程度のところに折り線Ａを設け、その折り線に沿って封じ片の先端を内側に折り、二重になる折り返し片Ｂを設けることにより、封じ片の一部が補強され、閉じやすく、また開封しやすくした封筒。
【請求項２】
請求項１に記載された封筒であって、前記折り線Ａに沿って封じ片の先端を内側に折り、前記二重になる折り返し片Ｂの部分を前記封じ片に接着した封筒。
【請求項３】
請求項１に記載された封筒であって、前記封じ片の先端部分に前記折り線Ａを設けたままで、完成品とした封筒。
【請求項４】
請求項１に記載された封筒であって、一般的な封筒、横長の封筒及び大型の封筒であることを特徴とする封筒。
(57)【要約】【課題】既存の高電圧発生装置を用い、高い点火性能や伝熱性能を有した火花放電点火装置を提供する。【解決手段】火花放電を発生しうる高電圧発生器に結線される電極１、電極２と、前記電極１、電極２間に、各々絶縁状態で空間抵抗ｘ＞空間抵抗ａ＋ｂ＋ｃ＋‥となるように１箇所以上配置された電気伝導体６とを有し、前記空間抵抗ａ＋ｂ＋ｃ＋‥が回路上、最も空間抵抗の低い回路であることを特徴とする連結火花放電点火装置。【選択図】図１
0003218967.tif 000002
【実用新案登録請求の範囲】
【請求項１】
火花放電を発生しうる高電圧発生器に結線される電極１、電極２と、
前記電極１、電極２間に、各々絶縁状態で空間抵抗ｘ＞空間抵抗ａ＋ｂ＋ｃ＋‥となるように配置された電気伝導体６とを有し、
前記空間抵抗ａ＋ｂ＋ｃ＋‥が回路上、最も空間抵抗の低い回路である
ことを特徴とする連結火花放電点火装置。
【考案の詳細な説明】
【技術分野】
【０００１】  本考案は、連結火花放電点火装置に関するものである。
【背景技術】
【０００２】  火花放電の点火に関し、高電圧発生装置の小型化、量産による廉価化などにより、身近な技術となっている。【０００３】  現在では高電圧発生装置の超小型化、高性能化も進み、ライターなどへの転用も散見される。【０００４】  しかし、点火性能や、不導体に対する伝熱性能など直火点火に及ばない点も多々ある。【０００５】  この改善策として、複数の高電圧発生装置を用い、複数の点火点を設けたり、出力電源の高性能化などを施しているが、制作コストや材料費の上昇に直結しており、また、既存の点火技術より突出した点火性能や伝熱性能を獲得できていない。
【考案の概要】
【考案が解決しようとする課題】
【０００６】  既存の高電圧発生装置を用い、高い点火性能や伝熱性能を有した火花放電点火装置を提供することにある。
【課題を解決するための手段】
【０００７】  請求項１の考案は、理想的な火花放電を発生しうる高電圧発生器により発生された電流を、電極１電極２間に電気伝導体６を配置し通電することにより、任意の放電経路に誘引する
ことを主要な特徴とする。
【考案の効果】
【０００８】  請求項１の考案によれば、連結火花放電点火装置は、電気伝導体６により誘引された連結火花放電を用い、放電経路の不安定な沿面放電を減らし、より効率的で安定した点火点を増やすので、高い点火性能や伝熱性能を提供することが出来得る。【０００９】  また、電気伝導体６の配置、数、形状次第で、火花放電７を特殊な形状に誘引することも可能であり、１回路で離れた複数の点火点を設けることも可能である。
【図面の簡単な説明】
【００１０】
【図１】図１は連結火花放電点火装置の点火部を例示した説明図である。（実施例１）
【図２】図２は図１の裏面の配線取り回しを示した説明図である。（実施例１）
【図３】図３は図１の連結火花放電点火装置を稼働した時の、火花放電が連結する様子を示した説明図である。（実施例１）
【図４】図４は図１の連結火花放電点火装置を流体、粉体に対する点火性能を特化した形状にし例示した説明図である。（実施例２）
【実施例１】
【００１１】  図１は、本考案装置の１実施例の図であって、理想的な火花放電を発生しうる高電圧発生器により発生された電流を、電極１電極２に通電させ火花放電を発生させる。その際、各電気伝導体６は、各々絶縁状態で絶縁抵抗ｘ＞絶縁抵抗ａ＋ｂ＋ｃ＋‥となるように絶縁体５により固定し配置されているため、火花放電７は電極１、各電気伝導体６、電極２間をそれぞれ連結するように発生する。
【実施例２】
【００１２】  本考案装置の実施例１を、電極１電極２各電気伝導体６間の通気や放電面を増やすことにより、粉体、流体の点火に特化した形状の連結火花放電点火装置である。
【産業上の利用可能性】
【００１３】  本装置は、軽量化や低コスト化が容易なため、舞台演出や、特殊効果などの点火や、バルーンを任意に破裂させるための発破機など演出効果機材に多岐にわたり使用できうる。打ち上げ花火等の点火にも使用できうる。また、直火の暖房機器などの点火機などにも利用可能であり、内燃機関などの点火プラグへの転用もまた可能である。
【符号の説明】
【００１４】１    電極１
２    電極２
３    絶縁被覆
４    高電圧発生装置接続線
５    絶縁体
６    電気伝導体
７    火花放電
ａ    空間抵抗ａ
ｂ    空間抵抗ｂ
ｃ    空間抵抗ｃ
ｄ    空間抵抗ｄ
ｅ    空間抵抗ｅ
ｘ    空間抵抗ｘ
【図１】
0003218967.tif 000003
【図２】
0003218967.tif 000004
【図３】
0003218967.tif 000005
【図４】
0003218967.tif 000006
(57)【要約】      （修正有）【課題】杖と座席付三脚を合体させたもので、特に、足、腰の弱い方が、椅子として利用するとき座たり、立ち上がる場合を考慮し、杖を三脚から取り外し、支え杖とし利用できる座席付杖を提供する。【解決手段】座席付杖１００は、地面に接地する接地部３と、使用者に把持される握り１を有する把持部２とを備え、接地部３は、三脚を広げることで自立し、座席を形成する座席シート４を有し、把持部２は、接地部３に接続された状態から分離可能であり、分離した状態でも杖として機能する。【選択図】図１
0003218964.tif 000002
【実用新案登録請求の範囲】
【請求項１】
地面に、接地する接地部と、使用者に把持される、把持部とを備え、接地部は、自立し、座席を形成可能であり、把持部は、接地部に接続された状態から分離可能であり、分離した状態でも杖として、機能する座席付杖。
【考案の詳細な説明】
【技術分野】
【０００１】  本考案は、杖と座席付三脚の合体に関するものである。
【背景技術】
【０００２】  足、腰の弱い方は、主として杖を利用しているが疲れた時、又は、バス、電車等の待ち合せのときに体を休ませる対策としての座席付杖がある。
【考案の概要】
【考案が解決しようとする課題】
【０００３】  然しながら、座席付杖は、杖に座席を取り付けているため座面が低く、足、腰が弱い者が、座ったり、立ち上がったりすることが困難になる。
【課題を解決するための手段】
【０００４】  地面に接地する接地部と、使用者に把持される把持部とを備え、接地部は、自立し、座席を形成可能であり、把持部は、接地部に接続された状態から、分離可能であり、分離した状態でも、杖として機能する座席付杖。
【考案の効果】
【０００５】  本考案の座席付杖によれば、足、腰が弱い者でも容易に立ち上がることが可能な座席付杖を提供することを目的とする。
【図面の簡単な説明】
【０００６】
【図１】  座席付杖の全体図である。
【図２】  三脚から取り外した杖の図である。
【図３】  座席付杖の歩行時の全体図である。
【図４】  足腰の弱い方の座り時の杖利用の図である。
【図５】  足腰の弱い方の立ち上がり時の杖利用の図である。
【考案を実施するための形態】
【０００７】  座席付杖１００は、地面に接地する接地部３と、使用者に把持される握り１を有する把持部２とを備え、接地部３は、自立し、座席を形成する座席シート４を有し、把持部２は、接地部３に接続された状態から分離可能であり、分離した状態でも杖として機能する。
【０００８】  接地部３を座席として使用する場合は、図３に示す状態から、三脚結束帯９を解き、三脚止めピン１０を中心に三脚を広げ使用する、その際、足、腰の弱い方が、座る場合、又、立ち上がる場合は、把持部２において、駆動スプリング７に付帯されている、着脱ボタン６を、接地部３の着脱ボタン６を駆動の内部に押し込み、接地部３から把持部２を取り外し、把持部２を、支え杖として使用する、これにより図４と図５に示すように、接地部３に座った状態から、把持部２を使用し、動作が安定し、安全に立ち上がることができる。
【符号の説明】
【０００９】  １．握り              ７．駆動スプリング
２．把持部            ８．座席シート止
３．接地部            ９．座席結束帯
４．座席シート      １０．三脚止めピン
５．着脱ボタン受    １１．三脚交差リング
６．着脱ボタン    １００．座席付杖
【図１】
0003218964.tif 000003
【図２】
0003218964.tif 000004
【図３】
0003218964.tif 000005
【図４】
0003218964.tif 000006
【図５】
0003218964.tif 000007
【手続補正書】
【提出日】平成30年9月4日(2018.9.4)
【手続補正１】
【補正対象書類名】実用新案登録請求の範囲
【補正対象項目名】全文
【補正方法】変更
【補正の内容】
【実用新案登録請求の範囲】
【請求項１】
地面に、接地する接地部と、使用者に把持される把持部とを備え、接地部は、三脚を広げることで自立し、座席を形成する座席シートを有し、把持部は、接地部に接続された状態から分離可能であり、分離した状態でも杖として、機能する座席付杖。
(57)【要約】      （修正有）【課題】ゴルフのパッティングのストロークを安定させるパッティング練習用のパッティングストロークボードとゴムブレードの組み合わせを提供する。【解決手段】卓球ラケット型のパッティングストロークボード１にストロークライン１ｊ、２本のフェイスセットライン１ｅ、１ｆ、印刷した残像目視ボール１ｋ、ボール配置穴１ｇ、ティー刺し穴１ｈ２カ所、ゴムブレード挿入穴１ｉを設け、併用するゴムブレードを備え、それらを利用してのパッティング練習で手元の動きの制御、パターフェイスの制御、ヘッドアップの抑制でゴルフのパッティングのストロークが安定し正確に成りスコアアップに役立つ。【選択図】図１
0003218966.tif 000002
【実用新案登録請求の範囲】
【請求項１】
縦約３６０ｍｍ×底辺約１８０ｍｍで卓球ラケット型のボードにストロークライン、２本のフェイスセットライン、印刷した残像目視ボール、直径６ｍｍのボール配置穴、直径６ｍｍのティー刺し穴２カ所、ボード中央に縦穴３０ｍｍ×５０ｍｍのゴムブレード挿入穴を設け、併用する約３ｍ×直径約２ｍｍのゴムブレードを備え、ゴルフのパッティングのストロークを安定させるパッティング練習用のパッティングストロークボードとゴムブレード
【考案の詳細な説明】
【技術分野】
【０００１】本考案は、ゴルフのパッティング練習時に使用する卓球ラケット型のボードにストロークライン、２本のフェイスセットライン、印刷した残像目視ボール、ボール配置穴、ティー刺し穴２カ所、ゴムブレード挿入穴を設け、併用する附属のゴムブレードを備えた、パッティングのストローク練習器具に関する。
【背景技術】
【０００２】ゴルフのパッティング練習をする場合、通常は市販の器具などで練習している。
【考案の概要】
【考案が解決しようとする課題】
【０００３】ゴルフのパッティングを正確に行うには手元の動きの制御とパターフェイス面の制御とヘッドアップの抑制が有効である。しかし、市販の練習器具は、パターヘッドの動きを意識させるものが多くストロークの根源である手元の動きなどを制御出来ない。
【課題を解決するための手段】
【０００４】本考案は、縦約３６０ｍｍ×底辺約１８０ｍｍで卓球ラケット型のボードにストロークライン、２本のフェイスセットライン、印刷した残像目視ボール、直径６ｍｍのボール配置穴、直径６ｍｍのティー刺し穴２カ所、ボード中央に縦長の３ｍｍ×５０ｍｍのゴムブレード挿入穴を設け、併用する約３ｍ×直径約２ｍｍの附属ゴムブレードを備え、ゴルフのパッティングのストロークを安定させるパッティング練習器具である。ゴムブレード挿入穴にゴムブレードを挿入後、ゴムブレードをターゲットラインと平行に真っ直ぐの状態で両端をストロークする両手の高さで壁などに固定し、両手の動きを同調させる為に両手の平の向きをターゲットラインと直角にしてボードを両手で挟みゴムブレードが上下左右に撓まないパッティングのストローク練習、床などに置いて使用の場合は、２本のフェイスセットラインにパターフェイスを合わせてからストロークラインにボールを打ち出す練習、インパクト後も残像目視ボールを見る事でミスヒットを軽減しヘッドアップが抑制される練習でボールをターゲット方向に打ち出す正確なストロークが身に付きストロークの手元の動きが制御される。
【考案の効果】
【０００５】上述の様に本考案のパッティングストロークボードと併用するゴムブレードは、従来に無いゴムブレード挿入穴にゴムブレードを通して固定したストローク練習で手元の動きが制御され、２本のフェイスセットライン、ストロークライン、印刷した残像目視ボールの各部分を利用したパッティング練習に依りターゲット方向にボールを打ち出す正確なパッティングのストロークの体得に役立つ。
【図面の簡単な説明】
【０００６】
【図１】本考案のパッティングストロークボードの正面図である。
【図２】本考案のゴムブレードの図である。
【図３】本考案のパッティングストロークボードと併用するゴムブレードを２種類の方法で使用時の図である。
【考案を実施するための形態】
【０００７】縦約３６０〜３７０ｍｍ×底辺約１ａ１８０〜２００ｍｍ、中間幅１ｂ１５５〜１７５ｍｍ高さ１９０ｍｍ、ネック幅１ｃ５５〜５８ｍｍ高さ２４５ｍｍ、先端幅１ｄ３２〜４０ｍｍ、下フェイスセットライン１ｅ幅２ｍｍ×長さ１００ｍｍ高さ５０ｍｍ、上フェイスセットライン１ｆ幅２ｍｍ×長さ１００ｍｍ高さ１９０ｍｍ、ボール配置穴１ｇ直径６ｍｍ高さ７５ｍｍ、ティー刺し穴２カ所１ｈ直径６ｍｍ高さ１９０ｍｍ、ゴムブレード挿入穴１ｉ幅３０ｍｍ×長さ５０ｍｍ高さ２１０ｍｍ、ストロークライン１ｊ幅３ｍｍ×３６０〜３７０ｍｍボード中央、印刷した残像目視ボール１ｋ直径４０ｍｍ高さ７５ｍｍのパッティングボード１は、併用するゴムブレード２長さ約３ｍ×直径約２ｍｍを１ｉのゴムブレード挿入穴に通しての練習と床などに置いての練習でターゲット方向に打ち出す正確なストロークを体得させる形状。
【符号の説明】
【０００８】    １    パッティングストロークボード
１ａ  底辺幅
１ｂ  中間幅
１ｃ  ネック幅
１ｄ  先端幅
１ｅ  下フェイスセットライン
１ｆ  上フェイスセットライン
１ｇ  ボール配置穴
１ｈ  ティ刺し穴ゴムブレード挿入穴
１ｉ  ゴムブレード挿入穴
１ｊ  ストロークライン
１ｋ  残像目視ボール
２    ゴムブレード
【図１】
0003218966.tif 000003
【図２】
0003218966.tif 000004
【図３】
0003218966.tif 000005
【手続補正書】
【提出日】平成30年8月29日(2018.8.29)
【手続補正１】
【補正対象書類名】実用新案登録請求の範囲
【補正対象項目名】全文
【補正方法】変更
【補正の内容】
【実用新案登録請求の範囲】
【請求項１】
縦約３６０ｍｍ×底辺約１８０ｍｍで卓球ラケット型のボードにストロークライン、２本のフェイスセットライン、印刷した残像目視ボール、直径６ｍｍのボール配置穴、直径６ｍｍのティー刺し穴２カ所、ボード中央に縦穴３０ｍｍ×６０ｍｍのゴムブレード挿入穴を設け、併用する約３ｍ×直径約２ｍｍのゴムブレードを備え、ゴルフのパッティングのストロークを安定させるパッティング練習用のパッティングストロークボードとゴムブレードの組合せ
(57)【要約】      （修正有）【課題】浴室に黒カビが発生するのを防止するための防カビ用品を提供する。【解決手段】銀メッキ繊維又は銀メッキナイロンメッシュ１を、保水性を持つナイロンスポンジ又は繊維２の表面に重ね合わせ、その外面をナイロンメッシュ布地３で覆う防カビ用品である。【選択図】図１
0003215721.tif 000002
【実用新案登録請求の範囲】
【請求項１】
銀メッキ繊維又は銀メッキナイロンメッシュと保水性を持つナイロンスポンジや繊維を組み合わせて銀イオンを発生させる防カビ対策用品
【考案の詳細な説明】
【技術分野】
【０００１】本考案は銀イオンを発生させ浴室にカビが発生するのを防止する考案です。
【背景技術】
【０００２】カビ取り薬品を使用しているが約２月後にはまたカビが発生し始める
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【０００５】カビ除去の作業の減少、浴室を清潔にする。
【課題を解決するための手段】
【０００６】浴室に銀イオンを発生させその抗菌力により黒カビの発生を長期間防止する。
【考案の効果】
【０００７】カビ除去作業の減少。入浴時にスポンジに湯又は水を含ませ壁に取付けるという作業の簡単さにより家事の軽減となる。
【図面の簡単な説明】
【０００８】
【図１】本考案用品の縦断面図である。
【図２】本考案用品の正面図である。
【考案を実施するための形態】
【０００９】本考案用品は水又は湯をスポンジに含ませ壁に取り付けて使用する必要があり、簡単に取り外し出来るようにプラスチック製の吸盤とナイロンひもでつなげる。
【符号の説明】
【００１０】▲１▼  銀メッキ繊維又は銀メッキナイロンメッシュ
▲２▼  ナイロンスポンジ又は保水性のあるナイロン繊維
▲３▼  全体を包むナイロンメッシュ布地
▲４▼  ビニール製の吸盤
▲５▼  ナイロン繊維の紐
【図１】
0003215721.tif 000003
【図２】
0003215721.tif 000004
【手続補正書】
【提出日】平成29年11月29日(2017.11.29)
【手続補正１】
【補正対象書類名】実用新案登録請求の範囲
【補正対象項目名】全文
【補正方法】変更
【補正の内容】
【実用新案登録請求の範囲】
【請求項１】
銀メッキ繊維又は銀メッキナイロンメッシュを、保水性を持つナイロンスポンジ又は繊維の表面に重ね合わせ、その外面をナイロンメッシュ布地で覆います。これ全体に水を含ませて銀イオンを発生させることによりカビの発生を防止する用品。
【手続補正書】
【提出日】平成30年1月19日(2018.1.19)
【手続補正１】
【補正対象書類名】実用新案登録請求の範囲
【補正対象項目名】全文
【補正方法】変更
【補正の内容】
【実用新案登録請求の範囲】
【請求項１】
銀メッキ繊維又は銀メッキナイロンメッシュを、保水性を持つナイロンスポンジ又は繊維の表面に重ね合わせ、その外面をナイロンメッシュ布地で覆うことを特徴とする防カビ用品。